(57)【特許請求の範囲】
【請求項１】
収納装置本体と、収納装置本体の開口部の縁部に設けた係止部を有する回動自在な係止具と、前記開口部の縁部に枢支部により回動自在に連結されて前記開口部を遮蔽自在とした扉と、扉に設けられ扉を閉じた時に前記係止部に係止する被係止部とを備えた収納装置であって、前記係止具に電気錠と係合する第２係止部を設け、電気錠が第２係止部の係止を解除した際に前記係止部を収納装置本体中側から収納装置本体外側に対して回動させて扉を開くようにするための駆動部を設け、駆動部が扉を開ける力を加えている時に扉が勢いよく開くことを防止する調整手段を設け、該調整手段は、係止部が駆動部により収納装置本体中側から収納装置外側に軸を中心に回動して扉を押して開きながら係止を解除している時に扉が全閉状態から一定開いた段階で被係止部が係止部の先端に設けた引掛け部に引っ掛った後に被係止部が離脱するように構成してあることを特徴とする扉の開閉機構。
【発明の詳細な説明】
【技術分野】
【０００１】
本発明は、扉の開閉機構に関するものである。
【背景技術】
【０００２】
従来から、収納装置の開口部に開閉自在に取付けた扉を電気錠で施錠するものにおいて、電気錠の開錠をすると同時に扉を自動的に開くようにしたものが知られている。しかしながら、扉が急に勢いよく自動的に開くと、人に衝突したりして危険である。
【０００３】
そこで、電気錠を開錠すると同時に扉を自動的に開くようにしたものにおいて、扉の開放速度を緩やかにするようにしたものが特許文献１により知られている。
【０００４】
この特許文献１に示された従来例は、収納装置の主体を構成する収納装置本体の開口部の縁部に係止部を有する係止具を回動自在に設け、係止部に電気錠と係合する第２係止部を設け、電気錠が第２係止部の係止を解除した際に前記係止部を収納装置本体中側から収納装置本体外側に対して回動させて扉を自動的に開くようにするための捩じりコイルスプリングを設け、捩じりコイルスプリングの弾性力で自動的に開放される扉の開放速度をダンパー装置の作用で緩やかにするようになっている。
【０００５】
上記特許文献１に示された従来例にあっては、ダンパー装置を設ける必要があって、部品点数が増すと共に、電気錠の施錠を解除して、扉が捩じりコイルスプリングの弾性力で自動的に開放される際に、ダンパー装置の作用で扉が緩やかに開放されるようになっているので、電気錠の施錠を解除しても扉が急激に開かず、扉付近にいる人に扉が急激に衝突したりしないが、扉が捩じりコイルスプリングのばね力で全開状態となるまで、ダンパー装置が作用し続けることになり、全開までに時間がかかり、また、扉が全開位置までダンパー装置の作用で緩やかに開くため、扉がふらふらといった感じで開くため安っぽいものとなるという問題がある。
【特許文献１】特開平０８−２６０７８５号公報
【発明の開示】
【発明が解決しようとする課題】
【０００６】
本発明は上記の従来の問題点に鑑みて発明したものであって、電気錠を開錠した時に扉に開く力を作用して開き始めに扉が自動的に開くようにしたものにおいて、別途ダンパー装置を設けることなく簡単な構成で、扉が開き始めに急激に開くのを防止でき、また、減速した後は、手で手早く扉を開くことができ、操作性がよい扉の開閉機構を提供することを課題とするものである。
【課題を解決するための手段】
【０００７】
上記課題を解決するために本発明に係る扉の開閉機構は、収納装置本体３と、収納装置本体３の開口部４の縁部に設けた係止部５を有する回動自在な係止具６と、前記開口部４の縁部に枢支部７により回動自在に連結されて前記開口部４を遮蔽自在とした扉９と、扉９に設けられ扉９を閉じた時に前記係止部５に係止する被係止部８とを備えた収納装置１であって、前記係止具６に電気錠１４と係合する第２係止部１８を設け、電気錠１４が第２係止部１８の係止を解除した際に前記係止部５を収納装置本体３中側から収納装置本体３外側に対して回動させて扉９を開くようにするための駆動部１０を設け、駆動部１０が扉９を開ける力を加えている時に扉９が勢いよく開くことを防止する調整手段１９を設け、該調整手段１９は、係止部５が駆動部１０により収納装置本体３中側から収納装置１外側に軸を中心に回動して扉９を押して開きながら係止を解除している時に扉９が全閉状態から一定開いた段階で被係止部８が係止部５の先端に設けた引掛け部２０に引っ掛った後に被係止部８が離脱するように構成してあることを特徴とするものである。
【０００８】
このような構成とすることで、電気錠１４が開錠して電気錠１４が第２係止部１８の係止を解除すると、駆動部１０により係止具６が回動して係止部５が収納装置本体３中側から収納装置本体３外側に対して回動して扉９が開くのであるが、この時、調整手段１９により扉９が係止具６の回動で開き始めに自動的に開く際に勢いよく開くのが防止されることになる。しかも、係止部５の先端に引掛け部２０を設けるという簡単な構成で調整手段１９を構成できる。また、被係止部８が係止部５の先端に設けた引掛け部２０から離脱した後は、係止具６が扉９を開く作用をせず、したがって、被係止部８が引掛け部２０から離脱した後は、扉９を手で手早く開くことができる。
【発明の効果】
【０００９】
本発明は、上記のように、係止部が収納装置本体中側から収納装置外側に軸を中心に回動して係止を解除している時に被係止部が係止部の先端に設けた引掛け部に引っ掛った後に被係止部が離脱するように構成してあるので、電気錠を開錠した時に扉に開く力を作用して開き始めに扉が自動的に開くようにしたものにおいて、別途ダンパー装置を設けることなく簡単な構成で、扉が開き始めに急激に開かないようにでき、これにより扉付近にいる人に衝突することがなくて、安全であり、また、係止部の先端に設けた引掛け部にいったん引っ掛って、被係止部が離脱した後は、手で手早く扉を開くことができ、操作性がよいものである。
【発明を実施するための最良の形態】
【００１０】
以下、本発明を添付図面に示す実施形態に基いて説明する。
【００１１】
収納装置１の主体を構成する収納装置本体３には開口部４が設けてあり、この開口部４には開閉自在に扉９が取付けてある。扉９は一端部が収納装置本体３の開口部４の縁部（一側縁部）に枢支部７により回動自在に連結してあり、この扉９の他端部（枢支部７と反対側の端部）の裏面側には被係止部８が設けてある。実施形態では扉９の裏面から突出する一対の突片２９の先端間に被係止棒８ａを架設することで被係止部８を構成してある。
【００１２】
収納装置本体３の開口部４の上記扉９を取付けている枢支部７と反対側の縁部（他側縁部）には図５に示すような錠機構ハウジング２１が、図１、図２、図３のように取付けてある。該錠機構ハウジング２１内には係止具６が回動自在に取付けてあると共に電気錠１４が取付けてある。
【００１３】
係止具６は、一端部にＵ字状部２２が設けてあって該Ｕ字状部２２が上記扉９に設けた被係止部８の被係止棒８ａを嵌め込んで係止するための係止部５となっており、また、係止具６の中央部を軸１３で錠機構ハウジング２１に回動自在に軸支してあり、更に、係止具６の他端部に凹状をした第２係止部１８が設けてある。
【００１４】
係止具６の一端部の係止部５を構成するＵ字状部２２は、Ｕ字状の対向する側片部２２ａ、２２ｂのうち一方の側片部２２ａが他方の側片部２２ｂよりも長くて先端側に突出しており、側片部２２ａの先端部の側片部２２ｂの先端よりも突出した部分が導入・導出部２３となっている。導入・導出部２３の先端にはＵ字状部２２の開口側に向けて突部１１が突設してあり、突部１１の内側が調整手段１９を構成する引掛け部２０となり、突部１１の外側がガイド部２８となっている。
【００１５】
上記突部１１は添付図面に示す実施形態では突出先端程細くなる略三角形状をしており、突部１１の内側の引掛け部２０は突出先端程外側となるように傾斜しており、また、突部１１の外側のガイド部２８は突出先端程内側となるように傾斜している。導入・導出部２と引掛け部２０とのなす角度は鈍角となっている。
【００１６】
ここで、突部１１の突出先端と、Ｕ字状部２２の他方の側片部２２ｂの内側先端との間の距離をＭとし、被係止棒８ａの径をＮとすると、図４（ｂ）のようにＭ＝Ｎ＋αの関係となっている。
【００１７】
係止具６にはばね１０ａが取付けてあり、係止具６の先端部を収納装置本体３の開口部４よりも外方に突出させるように回動するばね力を付与してある。錠機構ハウジング２１には回動防止部３０が設けてあり、ばね１０ａにより係止具６の先端部を収納装置本体３の外に突出させると所定傾斜姿勢で係止具６が回動防止部３０に当ってそれ以上回動することなく、所定傾斜姿勢を保つようになっている。この係止具６の先端部が収納装置本体３の外に突出して回動防止部３０に当っている所定傾斜姿勢において、上記側片部２２ａの先端部の導入・導出部２３の先端に突設した突部１１のガイド部２８がちょうど扉９に設けた被係止棒８ａの上部と同じ高さ位置となるように設定してあり、扉９を閉じると被係止棒８ａの上部がガイド部２８に当たって、ガイド部２８を上に押し上げながら進み、導入・導出部２３に当たり、更に、扉９を閉じる方向に回動することで、被係止棒８ａが導入・導出部２３に当たって押すことで係止具６を回動して起立すると共に、被係止棒８ａが導入・導出部２３にガイドされてＵ字状部２２の開口からＵ字状部２２の溝奥側に向けて被係止棒８ａがはめ込まれ、図１のように係止されるようになっている。
【００１８】
電気錠１４は電磁ソレノイドにより構成してあり、電磁ソレノイドのプランジャーの端部に先端に傾斜面を設けたロック棒１４ａが設けてある。先端にロック棒１４ａを設けたプランジャーは軸方向にばね（図示せず）により突出方向のばね力が付勢してあり、電磁ソレノイドに通電することで、ばねに抗して先端にロック棒１４ａを設けたプランジャーが後退するようになっており、通電が停止されるとばね力によりプランジャーが突出するようになっている。
【００１９】
そして、係止具６が収納装置本体３内に後退して起立姿勢になると、ロック棒１４ａが先端の傾斜面にガイドされて第２係止部１８に係止して収納装置本体３の開口部４を扉９で閉塞した状態で施錠されることになる。
【００２０】
一方、電気錠１４に通電することで電磁ソレノイドのプランジャーが後退、つまりロック棒１４ａが後退して第２係止部１８との係止が解除されると、ばね１０ａのばね力で係止具６が回動して係止具６の先端部が収納装置本体３の開口部４よりも外方に突出するようになっている。
【００２１】
このように、駆動部１０であるばね１０ａにより先端部が収納装置本体３の開口部４よりも外方に突出するように係止具６が回動すると、Ｕ字状部２２が回動してＵ字状部２２内に嵌め込まれて係止されていた被係止棒８ａが回動する側片部２２ａにより外方向に押されながらＵ字状部２２の開口側に向けて前方（外方）に向けて移動し、更に、該被係止棒８ａが側片部２２ａの先端部の導入・導出部２３により押されることで前方（外方）に勢いよく導出されて扉９を勢いよく開こうとするが、この時、図４（ａ）のように被係止棒８ａが導入・導出部２３の先端に設けた調整手段１９を構成する引掛け部２０に当って勢いが減じられ、これにより駆動部１０が扉９を開ける力を加えている時に扉９が勢いよく開くことが防止されることになる。
【００２２】
ここで、駆動部１０による係止具６の回動力や、引掛け部２０の傾斜角度（引掛け部２０と導入・導出部２３とのなす角度）や、引掛け部２０の突出長さ等を任意に設定することで、被係止棒８ａが引掛け部２０に当って勢いを減じられると同時に傾斜した引掛け部２０に沿って前方（外方）に移動することで、図４（ｂ）のように引掛け部２０を上方向に押し上げるように若干回動させ、勢いが減じられた状態で図４（ｃ）のように引掛け部２０を乗り越えて前方（外方）にゆっくりと移動して扉９をゆっくりと開くようにしたり、あるいは被係止棒８ａが引掛け部２０に当って勢いが減じられて被係止棒８ａが引掛け部２０に当った図４（ａ）の状態のままで停止するようにしてもよい。
【００２３】
前者においては、勢いが減じられた状態で被係止棒８ａが引掛け部２０を乗り越えた後は、駆動部１０であるばね１０ａの力が扉９に作用せず、したがって、被係止棒８ａが引掛け部２０を乗り越えた後は、調整手段１９や駆動部１０とは無関係に扉９を手で掴んで軽い操作で素早く全開できる。
【００２４】
また、後者においては、被係止棒８ａが引掛け部２０に当って停止している状態で、扉９を手で掴んで全開位置まで開くことができる。被係止棒８ａが引掛け部２０に当って停止している図４（ａ）の状態で、扉９を手で掴んで開くと、図４（ｂ）のように被係止棒８ａが引掛け部２０を上に押し上げることで乗り越えて図４（ｃ）のように前方（外方）に移動するので、そのまま素早く全開操作ができる。この場合も被係止棒８ａが引掛け部２０を乗り越えた後は、駆動部１０であるばね１０ａの力が扉９に作用せず、被係止棒８ａが引掛け部２０を乗り越えた後は、調整手段１９や駆動部１０とは無関係に扉９を手で掴んで軽い操作で素早く全開できる。
【００２５】
そして、いずれの場合も、電気錠１４が開錠して電気錠１４による第２係止部１８の係止を解除した際に、扉９が開く力を駆動部１０により付与するようにしたものにおいて、調整手段１９により扉９が係止具６の回動で開き始めに自動的に開く際に勢いよく開くのが防止でき、扉９が開き始めに急激に開いて扉９付近にいる人に衝突するということがないようにできる。
【００２６】
また、従来のように別途ダンパー装置を設ける必要がないので、構成が簡略化できることになる。
【００２７】
上記構成の収納装置１は縦方向、あるいは横方向、あるいは縦方向及び横方向に複数並べ配置されることで集合収納装置２を構成するようになっている。
【００２８】
収納装置１としては一例を挙げれば郵便入れがある。以下、収納装置１を郵便入れの例で説明する。
【００２９】
図６至図８は集合収納装置２の例で、本実施形態においては、図８に示すように収納ボックス４０内を上下に仕切り４３により複数に仕切って、一つの収納ボックス４０に複数の収納装置本体３を形成した例であり、収納ボックス４０の各収納装置本体３に対応する部位には郵便物投入口４２が設け、また、各収納装置本体３の開口部４にそれぞれ扉９を取付け、また、各収納装置本体３にそれぞれ係止具６、電気錠１４、保持部１２を設けた錠機構ハウジング２１が取付けて郵便入れとなる収納装置１を構成してある。つまり、図６乃至図８の実施形態では一つの収納ボックス４０に郵便入れである複数の収納装置１を形成した例であって、集合住宅のロビーなどに設置される。
【００３０】
図６、図７の実施形態では上記収納ボックス４０を縦方向、横方向に複数個並べて集合収納装置２を構成してあり、更に、この実施形態では縦方向に複数並べた収納ボックス４０はそれぞれ宅配ボックス４１の上に載設してある。
【００３１】
上記上下に並べた収納ボックス４０のうち下部の収納ボックス４０の複数の扉９のうちの一つには認証部１５が設けてあり、集合住宅の各戸毎に与えられる半導体メモリを備える非接触ＩＣカードからなる認証媒体、あるいは携帯電話機に内蔵した半導体メモリを用いた非接触ＩＣカードと同様に用いることができる認証媒体を、認証部１５に近づける又は接触させることで、認証媒体に登録された情報が、あらかじめ登録されている情報と規定の関係を満たすか否かの照合を行い、照合結果が合格であれば認証して該認証された該当する収納ボックス４０の電気錠１４の開錠を行うにように制御部（図示せず）により制御するようになっている。
【００３２】
上記のように１箇所に設けた認証部１５で複数の収納装置１の電気錠１４の中から近づけた認証媒体に対応する電気錠１４を選んで認証を行うと、複数の電気錠１４の中から該当する電気錠１４が開錠され、駆動部１０により係止具６が回動して係止部５が収納装置本体３中側から収納装置本体３外側に対して回動して扉９が勢いよく開こうとするが、上記のように、調整手段１９により扉９が係止具６の回動で開き始めに自動的に開く際に勢いよく開くのが防止されるので、複数の収納装置１を並べた集合収納装置２において、上記扉９が開くのに気付かない第３者が集合収納装置２の前にいたとしても、複数ある扉９のうち任意の扉９が不意に急激に開いて、上記第３者に当るというおそれがなく、特に、子供の場合、扉９の近くに頭が位置する場合があるが、本発明においてはこのような場合でも子供の頭部に扉９が当るという危険性がない。
【００３３】
なお、上記実施形態では収納ボックス４０内を仕切り４３で仕切って複数の収納装置本体３を形成した例を示したが、それぞれ別体の収納装置１を並べたものであってもよい。
【図面の簡単な説明】
【００３４】
【図１】本発明の一実施形態の扉を閉じて被係止部を係止部に係止している状態の一部破断した断面図である。
【図２】同上の扉を開く際に開き始めに被係止棒が引掛け部に当って外に飛び出す勢いが減じられた状態を示す一部破断した断面図である。
【図３】同上の扉を開く際に開き始めに被係止棒が引掛け部の先端を越えた状態を示す一部破断した断面図である。
【図４】（ａ）は同上の扉を開く際に開き始めに被係止棒が引掛け部に当って外に飛び出す勢いが減じられた状態を示す説明図であり、（ｂ）は被係止棒が引掛け部の先端を越えようとしている状態の説明図であり、（ｃ）は被係止棒が引掛け部の先端を越えて外に出ている状態の説明図である。
【図５】同上の錠機構ハウジングの斜視図である。
【図６】複数の収納装置を並べて構成した集合収納装置を示す斜視図である。
【図７】（ａ）は同上の正面図であり、（ｂ）は同上の背面図である。
【図８】同上の収納装置を複数備えた収納ボックスにおいて、一つの収納装置の扉少し開いて開く勢いを減じられた状態を示す斜視図である。
【符号の説明】
【００３５】
１  収納装置
２  集合収納装置
３  収納装置本体
４  開口部
５  係止部
６  係止具
７  枢支部
８  被係止部
９  扉
１０  駆動部
１４  電気錠
１８  第２係止部
１９  調整手段
２０  引掛け部
【図１】
0004835576.tif 000002
【図２】
0004835576.tif 000003
【図３】
0004835576.tif 000004
【図４】
0004835576.tif 000005
【図５】
0004835576.tif 000006
【図６】
0004835576.tif 000007
【図７】
0004835576.tif 000008
【図８】
0004835576.tif 000009